(57)【特許請求の範囲】
【請求項１】
絶縁体（２，２´）と、接点支持体（３，３´）と、遮蔽装置（４，４´）と、前記接点支持体（３，３´）に配置するように設けられている複数のソケット接点又はピン接点（５，５´）とを含み、前記遮蔽装置（４，４´）は前記絶縁体（２，２´）に旋回可能に保持されている、差込みコネクタ（１，１´）であって、前記遮蔽装置（４，４´）は第１のガイド手段を有していて、該第１のガイド手段は、前記接点支持体（３，３´）の第２のガイド手段と作用接続し、これにより前記接点支持体（３，３´）は前記遮蔽装置（４，４´）の旋回運動により前記絶縁体（２，２´）内に導入可能であり、又は前記絶縁体（２，２´）に接合可能であることを特徴とする差込みコネクタ(１，１´)。
【請求項２】
前記絶縁体（２）は少なくとも２つの回動ピン（２１）を有しており、前記遮蔽装置（４）は、前記絶縁体の前記回動ピン（２１）に係合する少なくとも２つの孔（４１）又は凹部を有しており、これにより前記遮蔽装置は前記回動ピン（２１）を中心として旋回可能である、請求項１記載の差込みコネクタ（１）。
【請求項３】
前記絶縁体（２´）は少なくとも２つのヒンジ窓（２４´）を有しており、前記遮蔽装置（４´）は、前記絶縁体（２´）の前記ヒンジ窓（２４´）に係合する少なくとも２つのヒンジタブ（４３´）を有しており、これにより前記遮蔽装置（４´）は前記絶縁体（２´）に旋回可能に保持されている、請求項１記載の差込みコネクタ（１´）。
【請求項４】
前記遮蔽装置（４，４´）の第１のガイド手段は、少なくとも１つのガイドスリット（４２，４２´）又は少なくとも１つのガイド溝から成っていて、前記接点支持体（３，３´）の第２のガイド手段は少なくとも１つのガイドピン（３１，３１´）から成っており、該ガイドピンは、前記遮蔽装置（４，４´）の前記ガイドスリット（４２，４２´）又は前記ガイド溝に係合する、請求項１から３までのいずれか１項記載の差込みコネクタ（１，１´）。
【請求項５】
前記接点支持体（３，３´）を前記絶縁体（２，２´）に導入することにより、又は前記接点支持体（３，３´）を前記絶縁体（２，２´）に接合することにより、前記ソケット接点又はピン接点（５，５´）を前記差込みコネクタ（１，１´）における最終位置に位置固定することができる、請求項１から４までのいずれか１項記載の差込みコネクタ（１，１´）。
【請求項６】
前記絶縁体（２，２´）は第１の貫通孔（２３，２３´）を有していて、前記接点支持体（３，３´）は前記ソケット接点又はピン接点（５，５´）を受容する第２の貫通孔（３４，３４´）を有しており、前記接点支持体（３，３´）は前記第２の貫通孔（３４，３４´）の一方の端部に、受容されたソケット接点又はピン接点（５，５´）を周りから把持するように設けられた薄片（３２，３２´）を有している、請求項１から５までのいずれか１項記載の差込みコネクタ（１，１´）。
【請求項７】
前記絶縁体（２，２´）の前記第１の貫通孔（２３，２３´）はそれぞれ１つの漏斗状領域（３２１，３２１´）を有している、請求項１から６までのいずれか１項記載の差込みコネクタ（１，１´）。
【請求項８】
前記接点支持体（３，３´）の前記薄片（３２，３２´）と、前記絶縁体（２，２´）の前記第１の貫通孔（２３，２３´）の前記漏斗状領域（２３１，２３１´）とは、前記ソケット接点又はピン接点（５，５´）を前記差込みコネクタ（１，１´）における最終位置で位置固定するように協働するのに適している、請求項７記載の差込みコネクタ（１，１´）。
【請求項９】
前記遮蔽装置（４，４´）は前記絶縁体（２）に又は前記接点支持体（３´）に係止可能である、請求項１から８までのいずれか１項記載の差込みコネクタ（１，１´）。
【請求項１０】
前記絶縁体（２）又は前記接点支持体（３´）は、少なくとも１つの、好適には２つの係止ピン（２２，３３´）を有しており、該係止ピン（２２，３３´）には前記遮蔽装置（４，４´）が、好適にはそのガイドスリット（４２，４２´）又はガイド溝の一方の端部で係止可能である、請求項９記載の差込みコネクタ（１，１´）。
【請求項１１】
前記遮蔽装置（４，４´）が前記絶縁体（２，２´）に係止されることにより、前記接点支持体（３，３´）を前記絶縁体（２，２´）内で又は前記絶縁体（２，２´）に位置固定することができる、請求項１から１０までのいずれか１項記載の差込みコネクタ（１，１´）。
【請求項１２】
前記遮蔽装置（４，４´）は金属薄板から製造されている、請求項１から１１までのいずれか１項記載の差込みコネクタ（１，１´）。
【請求項１３】
前記遮蔽装置（４，４´）は亜鉛ダイカスト部品から成っている、請求項１から１２までのいずれか１項記載の差込みコネクタ（１，１´）。
【発明の詳細な説明】
【技術分野】
【０００１】
本発明は、絶縁体と、接点支持体と、遮蔽装置と、前記接点支持体に配置するように設けられている複数の接点とを含み、前記遮蔽装置は前記絶縁体に旋回可能に保持されている、差込みコネクタに関する。
【０００２】
このような差込みコネクタは例えば、産業界並びに電気通信分野で使用される。
【０００３】
背景技術
ＷＯ２０１００４６２９３Ａ１号明細書に記載された差込み接続体では、接点は接点支持体に事前に組み付けることができ、接点ホルダ上の接点支持体を最終組み付け位置へ移動させることができる。さらに、接点支持体が、差込方向で互いに軸方向でずらされた少なくとも２つの位置で接点ホルダに係止することができ、プラグハウジング及び／又はジャックハウジングに、揺動可能な２つの遮蔽板金部片が配置されていて、これらの遮蔽板金部片はプラグハウジングにおいて角度を伴う上向き位置から内側揺動位置へと揺動可能である。
【０００４】
このような差込み接続体の欠点は、これが複数の部分から成っているので、組み付けの際、取り扱いに比較的手間がかかることにある。
【０００５】
発明の課題
そこで本発明の課題は、組み付けの手間が比較的かからない差込みコネクタを提供することにある。
【０００６】
この課題は、遮蔽装置が第１のガイド手段を有していて、該第１のガイド手段は、接点支持体の第２のガイド手段と作用接続し、これにより接点支持体は遮蔽装置の旋回運動により絶縁体内に導入可能であり、又は絶縁体に接合可能であることにより解決される。
【０００７】
本発明の好適な構成は従属請求項に記載されている。
【０００８】
本発明は、複数部品から構成されるが一体的に、即ち組み立てられた単独部品として使用者に供給することができる差込みコネクタである。接点、例えばソケット接点又はピン接点を接点支持体内に手で導入した後、唯一の運動によって遮蔽装置を絶縁体に沿って旋回させて、これにより接点支持体を絶縁体内に導入し、又は絶縁体に接合し、これにより接点を前記差込みコネクタにおける最終位置で位置固定し、遮蔽装置を絶縁体又は接点支持体に係止させ、これにより接点支持体を絶縁体内又は絶縁体上で位置固定することができる。
【０００９】
これにより組み付けの手間が減じられるので、この構成は特に有利である。組みを成す個別部分は既に予め組み付けられて、これにより対応するもの同士予め分類されて使用者に供給されるので、使用者が初めて手間をかけて組み立てて接合する必要はない。
【００１０】
特に、使用者は組み付けのために、ケーブルに接続された、例えばクランプ固定された接点を、接点支持体に挿入して、遮蔽装置を押し下げる、即ち絶縁体に沿って旋回させれば良いだけであって、これにより差込みコネクタをケーブル接続側で組み付けることができる。このことは先行技術に対して、組み付けの手間を大きく減じる。
【００１１】
さらに取り外しも簡略化されている。遮蔽装置を戻し旋回することにより、遮蔽装置は再び係止解除され、絶縁体における接点支持体の位置固定は解消され、接点支持体は上記作用結合により自動的に再び絶縁体から引き抜かれる。これにより接点の位置固定も再び解除され、これにより接点は再び取り外し可能となる。
【００１２】
絶縁体が少なくとも２つの、好適には円形の孔又は切欠を有していて、遮蔽装置が、前記絶縁体の孔又は切欠に係合する少なくとも２つの回動ピンを有していると、これにより遮蔽装置は回動ピンを中心として旋回可能であるので、特に有利である。
【００１３】
別の好ましい構成では、絶縁体は少なくとも２つの回動ピンを有しており、前記遮蔽装置は、絶縁体の前記回動ピンに係合する少なくとも２つの円形の孔又は凹部を有しており、これにより前記遮蔽装置は前記回動ピンを中心として旋回可能である。これによりこのような装置は僅かな手間で製造することができる。
【００１４】
絶縁体は少なくとも２つのヒンジ窓を有しており、前記遮蔽装置は、前記絶縁体の前記ヒンジ窓に係合する少なくとも２つのヒンジタブを有しており、これにより前記遮蔽装置は前記絶縁体に旋回可能に保持されているならば、さらに好ましい。
【００１５】
遮蔽装置の第１のガイド手段は、少なくとも１つのガイドスリット又は少なくとも１つのガイド溝から成っていて、接点支持体の第２のガイド手段は少なくとも１つのガイドピンから成っており、該ガイドピンは、前記遮蔽装置の前記ガイドスリット又は前記ガイド溝に係合し、この場合、遮蔽装置の旋回運動時にガイドピンはガイドスリット又はガイド溝に沿ってガイドされ、その形状によりガイドピンは絶縁体の方向に動かされ、接点支持体が絶縁体内に導入され、又は絶縁体に接合されるならば、このような装置は極めて僅かな手間で製造され、安定的に機能するので、特に有利である。
【００１６】
好ましい構成では、特に亜鉛ダイカスト部品から成る遮蔽装置が、有利には絶縁体からの接点支持体の抜け落ちを阻止する複数の、好適には２つの保持突起を有している。保持突起は好適には、接点支持体及び／又は絶縁体を相応の係止輪郭、例えばこれに対して形状接続（嵌め合いなどの形状的関係に基づく結合又は束縛）的なポケットを介して、固定位置へと押し付け、ここで位置固定するためにばね弾性的に構成することができる。
【００１７】
好適な構成では、遮蔽装置は絶縁体に及び／又は接点支持体に係止可能である。特に絶縁体及び／又は接点支持体は係止突起を有しており、該係止突起には遮蔽装置が、好適にはガイドスリット又はガイド溝の第１の端部で、又はこのために設けられた特別な開口で係止する。この構成は、絶縁体に導入された、又は絶縁体に接合された接点支持体が絶縁体内で又は絶縁体上で位置固定されるという利点を有している。
【００１８】
接点支持体を絶縁体に導入する、特に押し込むことにより、又は接点支持体を絶縁体に接合することにより、接点を差込みコネクタにおける最終位置で位置固定することができると特に有利である。このような構成は以下に記載される。この場合、絶縁体は第１の貫通孔を有している。接点支持体は、接点、例えばピン接点又はソケット接点を収容するために第２の貫通孔を有している。接点支持体は、第２の貫通孔の端部に、受容された接点を把持する薄片を有している。絶縁体の第１の貫通孔は、好適には接点支持体に隣接して、それぞれ１つの漏斗状領域を有している。接点を備えた接点支持体を絶縁体に導入又は接合する際に、接点は少なくとも部分的に、その第１の貫通孔内に導入され、接点支持体の薄片はこの場合、漏斗状領域によって押し合わされる。これにより接点は、差込みコネクタにおける最終的な位置で位置固定される。
【００１９】
好適には絶縁体は、その第１の貫通孔の漏斗状領域に特別な切欠を有することができ、薄片はこれに適合する翼状の一体成形部を有することができ、この翼状の一体成形部が特別な切欠に係合し、絶縁体への接点支持体の導入により押し合わせられて、これにより薄片が押し合わせられ、従って差込みコネクタにおける接点の最終的な位置固定が行われる、又は少なくとも支援される。
【００２０】
実施例
本発明の２つ実施例を図面に示し、以下に詳しく説明する。
【図面の簡単な説明】
【００２１】
【図１ａ】ソケット接点を備えた差込みコネクタを示した分解図である。
【図１ｂ】異なる視点から見た差込みコネクタの分解図である。
【図２ａ】組み立てられた差込みコネクタを、まだ挿入されていない接点支持体と共に示した斜視図である。
【図２ｂ】組み立てられた差込みコネクタを、まだ挿入されていない接点支持体と、まだ完全には導入されていないソケット接点と共に示した断面図である。
【図３ａ】差込みコネクタをロックされた状態で示した斜視図である。
【図３ｂ】絶縁体を、２つの接点を有する挿入された接点支持体と共に示した断面図である。
【図３ｃ】図３ｂの部分拡大図である。
【図４】導入すべき接点支持体と共に示す断面された差込みコネクタの立体図である。
【図５ａ】導入された接点支持体と、例として位置固定された１つのソケット接点と共に示す断面された差込みコネクタの立体図である。
【図５ｂ】図５ａの部分拡大図である。
【図６】ピン接点を備えた別の差込みコネクタを示した分解図である。
【図７ａ】組み立てられた差込みコネクタを、導入すべきピン接点と共に示した斜視図である。
【図７ｂ】組み立てられた差込みコネクタを、さらに導入すべきピン接点と共に示した断面図である。
【図７ｃ】組み立てられた差込みコネクタを、導入されたピン接点と共に示した断面図である。
【図７ｄ】差込みコネクタをロックされた状態で示す断面図である。
【００２２】
第１実施例
図１ａ及び図１ｂには、差込みコネクタ１の分解図がそれぞれ異なる視点からの斜視図で示されている。差込みコネクタ１は、絶縁体２と、接点支持体３と、遮蔽装置４と、ソケット接点５として形成されている複数の接点とを含んでいる。
【００２３】
絶縁体２は、２つの回動ピン２１と２つの係止ピン２２とを有しており、これら両２つのピンのうちそれぞれ一方のピンのみが図示されている。というのは、他方のピンはこれに対して対称的に、絶縁体２のこれとは反対側の面に一体成形されており、従って図示した斜視図では絶縁体２によって隠されているからである。さらに絶縁体２は複数の第１の貫通孔２３を有している。
【００２４】
接点支持体３は、２つのガイドピン３１を有しており、同じくこれら２つのガイドピンのうちそれぞれ一方のピンのみが図示されている。というのは、他方のピンはこれに対して対称的に、接点支持体３のこれとは反対側の面に一体成形されており、従って図示した斜視図では接点支持体３によって隠されているからである。図１ｂには、ソケット接点５を受容するために設けられている、接点支持体３を貫通する複数の第２の貫通孔３４が示されている。絶縁体２に挿入するために設けられた接点支持体３の面には、この第２の貫通孔３４に薄片３２が一体成形されている。これは図１ａに特によく示されている。
【００２５】
遮蔽装置４は好適には金属薄板から成る、打ち抜き曲げ部品である。遮蔽装置４は２つの円形の孔４１と２つのガイドスリット４２とを有している。
【００２６】
図２ａには、複数の個別部品、即ち、絶縁体２と、接点支持体３と、遮蔽装置４とから構成された差込みコネクタ１が示されており、この場合、接点支持体３はまだ絶縁体２内に押し込まれていない。ガイドピン３１はガイドスリット４２の第１の端部に位置している。この図により、回動ピン２１を通って延在する回転軸線を中心とした遮蔽装置４の旋回運動は、ガイドスリット４２においてガイドピン３１をガイドしながら行われ、次いで係止ピン２２においてガイドスリット４２の第１の端部が係止され、さらにこの旋回運動は、接点支持体３を自動的に絶縁体２内に挿入しここで保持することがわかる。
【００２７】
図２ｂではこのような配置が２つのソケット接点５と共に、即ち、既に挿入された１つのソケット接点５と、１つの挿入すべきソケット接点５と共に断面図で示されている。この場合、図３ａのロックされた差込みコネクタ１の絶縁体２において示された切断軸線Ｓで断面されている。
【００２８】
図３ａでは、遮蔽装置４のガイドスリット４２の第１の端部が、絶縁体２の係止ピン２２に係止されていて、ガイドピン３１が、ガイドスリット４２の第２の端部に位置している。このために、遮蔽装置４は予め、回動ピン２１を中心として絶縁体２上を旋回させられる。この旋回運動の際に、ガイドピン３１はガイドスリット４２の第１の端部からガイドスリット４２に沿って、ガイドスリット４２の第２の端部まで案内され、これにより接点支持体３は絶縁体２内に導入される。
【００２９】
さらにこの図面からは、遮蔽装置４が逆方向に、即ち、図３ａに示した位置から図２ａ及び図２ｂに示した位置へと戻し旋回されることにより、絶縁体２から接点支持体３が抜き出されることが判る。この場合、ガイドピン３１はガイドスリット４２の第２の端部からガイドスリット４２に沿ってガイドスリット４２の第１の端部へと案内される。
【００３０】
図３ｂには、挿入された接点支持体３を備えた絶縁体２の断面図が示されている。この場合、接点支持体３にはソケット接点５が装着されている。さらに第１の貫通孔２３が接点支持体３に隣接して漏斗状領域２３１を有していることが図示されている。この漏斗状領域２３１には、接点支持体３の対応する薄片３２が係合する。
【００３１】
この漏斗状領域２３１は図３ｃに拡大して示されている。図３ｃにより、接点支持体３を絶縁体２内に押し込む際に、薄片３２が漏斗状領域２３１によって押し合わされ、これによりソケット接点５は、接点支持体３及び絶縁体２における最終位置で、従って差込みコネクタ１全体における最終位置で位置固定されることが特に良好に示されている。
【００３２】
図４には断面された絶縁体２の一部が、導入すべき接点支持体３と共に示されている。この場合、ソケット接点５は示されていない。第１の貫通孔２３の漏斗状領域２３１はこの図に特に明瞭に示されている。さらに、薄片３２が側方で翼状の一体成形部３２１を有していて、絶縁体２がその漏斗状領域２３１に特別な切欠２５を有していることも判る。この特別な切欠２５内には、薄片３２の翼状の一体成形部３２１が係合する。特に薄片３２は、翼状の一体成形部３２１を介して漏斗状領域２３１の特別な切欠２５により、接点支持体３を絶縁体２に接合する際に押し合わせられる。
【００３３】
図５ａには、絶縁体２が、接合された接点支持体３と、例として挿入された１つのソケット接点５と共に示されている。図５ｂにはその部分拡大図が示されている。見易さという理由からソケット接点５が挿入されていない薄片３２において、翼状の一体成形部３２１と特別な切欠２５との協働を特に明瞭に見ることができる。絶縁体２への接点支持体３の押込みより、接点支持体３の図示した部分は、絶縁体２の図示した部分に接合され、薄片３２はその翼状の一体成形部３２１を介して第１の貫通孔２３の漏斗状領域２３１と、絶縁体２の特別な切欠２５とによって押し合わされて、これにより、その内部に場合によっては存在するソケット接点５を、差込みコネクタ１における最終位置で位置固定する。
【００３４】
従って、最終的に、唯１つの運動によって、即ち、遮蔽装置４の旋回によって、絶縁体２への接点支持体３の押し込み、接点、特にソケット接点５の差込みコネクタ１における最終的な位置固定、遮蔽装置４の係止、差込みコネクタ１における接点支持体３の保持が得られる。
【００３５】
第２実施例
図６には別の差込みコネクタ１´が示されている。
【００３６】
差込みコネクタ１´は、絶縁体２´と、接点支持体３´と、遮蔽装置４´と、ピン接点５´として形成されている複数の接点と、好適には金属薄板から製造される遮蔽カバー６´とを含んでいる。
【００３７】
遮蔽装置４´は好適には亜鉛ダイカストにより製造されている。これとは選択的に、遮蔽装置４´は、シールドコーティングされたプラスチックから、又はシールドコーティングされていないプラスチックから成っていても良い。しかしながら後者の場合には、遮蔽装置４´は電気的なシールド特性を有していない。
【００３８】
遮蔽装置４´は一方の端部に、曲げられた２つのヒンジタブ４３´と、２つのガイドスリット４２´とを有している。接点支持体３´は２つのガイドピン３１´と２つの係止ピン３３´とを有しており、これら両２つのピンのうちそれぞれ一方のピンのみが図示されている。というのは、それぞれ他方のピンは接点支持体３´によって隠されているからである。
【００３９】
絶縁体２´は一方の端部に２つのヒンジ窓２４´を、互いに向かい合う２つの側面にそれぞれ１つの遮蔽窓２７´を有している。遮蔽カバー６´は各側面に２つの接点ばね６１´を有している。さらに遮蔽カバー６´は複数の係止窓６２´を有している。遮蔽装置４´はこれに適合する係止突起４７´を有している。これにより遮蔽カバー６´は、良好な遮蔽のために、それ以外は組み付け終えられている差込みコネクタ１´上に被せられ、ここで位置固定される。組み付け状態で絶縁体２´の遮蔽窓２７´に係合する接点ばね６１´により、対応コネクタ、例えば、第１実施例で記載した差込みコネクタ１が差し込み状態で、遮蔽装置４´に接触することができ、これにより両差込みコネクタ１，１´の両遮蔽装置４、４´間でアースコンタクトが形成される。
【００４０】
さらにこの差込みコネクタ１´の遮蔽装置４´は２つの保持突起４５´，４６´を有している。
【００４１】
図７ａには、この差込みコネクタ１´が、ほぼ組み付けられているが最終位置にはまだ押し込まれていない接点支持体３´と、接点支持体３´内にまだ導入されていないピン接点５´と共に示されている。遮蔽カバー６´はこの図面及びこれ以降の図面では見易さの理由により図示されていない。
【００４２】
ガイドピン３１´は、ガイドスリット４２´の内側に、即ちガイドスリット４２´の第１の端部に位置している。
【００４３】
遮蔽装置４´の旋回により、接点支持体３´を絶縁体２´内に導入できることが容易に見て取れる。この場合、遮蔽装置４´の旋回の際に、ガイドピン３１´は、ガイドスリット４２´の第１の端部から、ガイドスリット４２´に沿って、ガイドスリット４２´の第２の端部へと案内される。旋回過程後に、ガイドスリット４２´の第１の端部は、接点支持体３´の係止ピン３３´に係止され、これにより接点支持体３´を絶縁体２´に保持する。
【００４４】
図７ｂには同じ装置が断面図で示されている。ヒンジタブ４３´がヒンジ窓２４´に係合しているので、遮蔽装置４´は、ヒンジ窓２４´を通って延在する軸線を中心として旋回可能である。この図面では、遮蔽装置４´の第１の保持突起４６´と第２の保持突起４５´とが特に明瞭に示されている。第１の保持突起４６´は、絶縁体２´に対応するように成形された第１のポケット２６´に係合するために設けられている。第２の保持突起４５´は、接点支持体３´が絶縁体２´の最終位置に押し込まれた後、絶縁体２の対応する保持開口２８´を通って、接点支持体３´の第２のポケット３５´に係合するために設けられている。さらにこの図面により、第１の貫通孔２３´の形状が判る。即ち、第１の貫通孔２３´は、接点支持体３´に向けられた端部に漏斗状領域２３１´を有している。この図面から、薄片３２´が、第１の貫通孔２３´の漏斗状領域２３１´によって、絶縁体２´内に接点支持体３´を押し込むことにより押し合わされることが明らかである。
【００４５】
図７ｃには同じ装置が断面図で示されているが、この場合、ピン接点５´は既に接点支持体３´に押し込まれている。接点支持体３´はこの図面ではまだ、絶縁体２´における最終位置には押し込まれていない。最終位置では、接点支持体３´の第２のポケット３５´が、絶縁体２´の保持開口２８´上に位置することが明らかである。さらに、絶縁体２´内に接点支持体３´を押し込む際に薄片３２´が押し合わされることにより、ピン接点５´が、この場合、位置固定された接点支持体３´で、即ち、差込みコネクタ１´における最終位置でも位置固定されることが明らかである。
【００４６】
図７ｄには、絶縁体２´を介して旋回された遮蔽装置４´を備えた同じ装置が示されている。従って、接点支持体３´は絶縁体２´内の最終位置へと導入されている。この場合、薄片３２´は漏斗状領域２３１´によって押し合わされ、ピン接点５´を差込みコネクタ１´における最終位置で位置固定している。保持突起４６´，４５´は、絶縁体２´若しくは接点支持体３´のポケット２６´，３５´に係合し、この場合、第２の保持突起４５´は絶縁体２´の保持開口２８´に係合する。
【符号の説明】
【００４７】
１，１´  差込みコネクタ
２，２´  絶縁体
２１  回動ピン
２２  絶縁体の係止ピン
２３，２３´  第１の貫通孔
２３１，２３１´  第１の貫通孔の漏斗状領域
２４´  ヒンジ窓
２５  特別な切欠
２６´  絶縁体の第１のポケット
２７´  遮蔽窓
２８´  保持開口
３，３´  接点支持体
３１，３１´  ガイドピン
３２，３２´  薄片
３２１  薄片の翼状の一体成形部
３３´  接点支持体の係止ピン
３４，３４´  第２の貫通孔
３５´  接点支持体の第２のポケット
４，４´  遮蔽装置
４１  円形の孔
４２，４２´  ガイドスリット
４３´  ヒンジタブ
４５´，４６´  保持突起
４７´  係止突起
５，５´  接点（ソケット接点、ピン接点）
６´  遮蔽カバー
６１´  接点ばね
６２´  係止窓
【図１ａ】
0005738493.tif 000002
【図１ｂ】
0005738493.tif 000003
【図２ａ】
0005738493.tif 000004
【図２ｂ】
0005738493.tif 000005
【図３ａ】
0005738493.tif 000006
【図３ｂ】
0005738493.tif 000007
【図３ｃ】
0005738493.tif 000008
【図４】
0005738493.tif 000009
【図５ａ】
0005738493.tif 000010
【図５ｂ】
0005738493.tif 000011
【図６】
0005738493.tif 000012
【図７ａ】
0005738493.tif 000013
【図７ｂ】
0005738493.tif 000014
【図７ｃ】
0005738493.tif 000015
【図７ｄ】
0005738493.tif 000016